(57)【要約】      （修正有）【課題】衣類を立体的に膨らみを持たせて吊るすことができ、且つ吊るした衣類の滑りを防止でき、安価に製造できて軽量で、家庭での衣類の保管用に或いは店頭での従来のマネキンに代えて商品展示用として展示性にも優れた立体ハンガー並びに該立体ハンガーを利用して安価でかつ軽量で取り扱いが容易で環境に優しい簡易マネキンを提供する。【解決手段】ハンガー本体の肩部材及び横杆にペーパーハニカムボードから成形された肩部整形体１５ａ、１５ｂ及び胸部整形体１６ａ、１６ｂを夫々配置して、衣服の肩部及び胸部に応じた立体形状にして立体ハンガー１３を構成し、該立体ハンガーをマネキン本体の支柱頂部に載せると共に、支柱の中間部に腰部整形体を装着して簡易マネキンを構成する。【選択図】図２
0003140575.tif 000002
【実用新案登録請求の範囲】
【請求項１】
ハンガー本体が、中央部に係止フックを有する肩部材と該肩部材に懸架され衣類の胸部相当位置に位置するように配置された横杆を有する吊り下げ具から構成され、前記肩部材及び前記横杆にペーパーハニカムボードから成形された肩部整形体及び胸部整形体を夫々配置して、衣服の肩部及び胸部に応じた立体形状にしてなることを特徴とする立体ハンガー。
【請求項２】
前記肩部整形体及び胸部整形体が、前記ペーパーハニカムボードを圧縮状態で所定形状に切断加工したものを伸縮方向に展開して、前記肩部材及び前記横杆にそれぞれ巻付けてその両端板を接合して所定立体形状に整形したものである請求項１に記載の立体ハンガー。
【請求項３】
前記肩部材の下端部に針金で構成された袖挿通部材が配置されている請求項１又は２に記載の立体ハンガー。
【請求項４】
基板から支柱が立設したスタンドを有し、前記支柱の頂部に請求項１〜３何れかに記載の立体ハンガーを載せ、且つ前記支柱の中間部に腰部整形体を支持する取付具を設けてなり、該取付具にペーパーハニカムボードから成形された腰部整形体を装着してなることを特徴とする簡易マネキン。
【請求項５】
伸縮性の合成樹脂フィルムからなる保護シートで被覆してなる請求項４に記載の簡易マネキン。
【考案の詳細な説明】
【技術分野】
【０００１】
本考案は、男女の衣類を立体的に吊り下げ保管或いは展示することができる衣類用の立体ハンガー及び該立体ハンガーを利用した簡易マネキンに関する。
【背景技術】
【０００２】
従来、衣類用ハンガーは、針金製、プラスチックのパイプ又は成形板製、木製等種々のものがあり、その形状も種々であるが、その改良として、例えば、吊り下げた衣服が滑り落ちるの防止するために、吊り下げ部にスポンジや不織布等の滑り材を備えたもの（特許文献１）あるいは針金ハンガーに滑り止めと肩跡防止のハンガーパットを備えたもの（特許文献２）等が提案されている。しかし、従来のハンガーは、単に衣類をハンガーの奥行きの幅で平面的に吊るすだけであり、衣類の形状に応じて膨らみを持たせて立体的に吊るすことができず、衣服の保管に際して型崩れしやすく、また店頭での衣類の展示効果も少ないという問題点がある。この問題点を解決する手段として、針金で形成された外形フレームに前方へ突出可能にバスト部フレームを供えた女性用衣類ハンガー（特許文献３）、あるいは、人体の腕部を除く頸部から股部までの部分を含む前面は人体の前面を模倣し、背面は開口した主体部を薄肉材で成形し、主体部の上壁部に吊り下げ用の鉤部を有した商品展示用ハンガー（特許文献４）等が提案されている。
【０００３】
【特許文献１】特開２００５−３４５７１号公報
【特許文献２】特開２００３−４７５５１号公報
【特許文献３】特開２００６−２９６９５５号公報
【特許文献４】特開平８−１０１１５号公報
【考案の開示】
【考案が解決しようとする課題】
【０００４】
女性用衣服を立体的に吊るすことを可能にする前記提案のハンガーのうち、前者は単に針金で形成したバスト部フレームを前方に突出可能に設けたものであり、突出した状態も一本の針金が水平面を前方に突出するだけであるから、人体と同様な膨らみを持たせることは不可能であり、未だ型崩れ防止性や展示効果性で満足するものではない。また、後者は人体の前面形状に沿って適宜の肉厚を有する素材を成形するものであるため、形状保持性、展示性においては従来のハンガーに比べて優れているが、従来のハンガーに比べて格段に高価であり、且つ大型であり、専ら商品展示用ハンガーとして有効であり、手軽に家庭等で使用できるものではなかった。また、従来のマネキンは、一般にボディ等を繊維強化プラスチック等合成樹脂で人体形状に成形したものであり、高価であり、且つ嵩張り重量が重く取り扱い等の欠点があった。また、マネキンの廃棄処分時に特に繊維強化プラスチック等合成樹脂製の場合は簡単にリサイクルすることができず、自然環境負荷が大きい等の問題点がある。
【０００５】
そこで、本考案は、衣類を立体的に膨らみを持たせて吊るすことができ、且つ吊るした衣類の滑りを防止でき、安価に製造できて軽量で、家庭での衣類の保管用に或いは店頭での従来のマネキンに代えて商品展示用として展示性にも優れた立体ハンガーを提供すること、及び該立体ハンガーを利用して安価でかつ軽量で取り扱いが容易で、さらにリサイクル可能な廃棄処分が容易であり、環境に優しい簡易マネキンを提供することを目的とする。
【課題を解決するための手段】
【０００６】
上記問題点を解決する本考案の立体ハンガーは、ハンガー本体が、中央部に係止フックを有する肩部材と該肩部材に懸架され衣類の胸部相当位置に位置するように配置された横杆を有する吊り下げ具から構成され、前記肩部材及び前記横杆にペーパーハニカムボードから成形された肩部整形体及び胸部整形体を夫々配置して、衣服の肩部及び胸部に応じた立体形状にしてなることを特徴とするものである。
【０００７】
本考案の立体ハンガーにおいて、前記肩部整形体及び胸部整形体は、前記ペーパーハニカムボードを圧縮状態で所定形状に切断加工したものを伸縮方向に展張して、前記肩部材及び横杆にそれぞれ巻付けてその両端板を接合して所定立体形状に整形したものであることが望ましい。また、前記肩部材の下端部に針金で構成された袖挿通部材が配置することによって、袖部を立体形状に支持することができる。
【０００８】
また、本項上記問題点を解決する本考案の簡易マネキンは、基板から支柱が立設したスタンドを有し、前記支柱の頂部に請求項１〜３何れかに記載の立体ハンガーを載せ、且つ前記支柱の中間部に腰部整形体を支持する取付具を設けてなり、該取付具にペーパーハニカムボードから成形された腰部整形体を装着してなることを特徴とするものである。また、伸縮性の合成樹脂フィルムからなる保護シートで被覆することによって、衣類の着脱時に引っかかることを防止できる共に装飾効果を増し望ましい。
【考案の効果】
【０００９】
本考案の立体ハンガーは、肩部材及び胸部相当位置に位置するように配置された横杆に、それぞれ肩部整形体及び胸部整形体を夫々配置しているので、衣類を吊るした状態で肩部及び胸部が人間が着衣したように立体的に膨らんだ状態が維持されるので、衣類の型崩れを防止すると共にハンガーの跡線が残ることがなく、且つ展示効果を高め店頭での商品陳列にも効果的である。特に、本考案では肩部整形体及び胸部整形体をペーパーハニカムボードで成形しているので、安価であり且つ軽量であるという特徴を有する。しかも、これらの整形体は、ハンガー本体から容易に着脱して収縮できるので、収納時に嵩張らず、また紙製であるので廃棄時も資源ゴミとして再利用が可能である。そして、前記肩部整形体及び胸部整形体は、前記ペーパーハニカムボードを圧縮状態で所定形状に切断加工したものを伸縮方向に展張して、前記肩部材及び横杆にそれぞれ巻付けてその両端板を接合して所定立体形状に整形することによって、容易に且つ安価に製造することができる。また前記肩部材の下端部に針金で構成された袖挿通部材を配置することによって、該袖挿通部材を関節相当位置から適宜屈曲することによって、より立体感を高めることができ、展示効果を向上させることができる。
【００１０】
また、本考案の簡易マネキンは、上記立体ハンガーを利用するので、上記効果に加えて、腰部（胴部）にもペーパーハニカムボードで成形した腰部整形体を備えているので、胴部を含めて全体的に衣服の形状を立体的に保持することができ、マネキンとしての展示効果を発揮できる。しかも本考案の簡易マネキンの立体的膨出部は全てペーパーハニカムボードで成形しているので、単にハニカムボードを切断するだけで容易に任意形状に形成することができ、製造が容易で安価でかつ軽量で取り扱いが容易で、さらにリサイクル可能な廃棄処分が容易であり、環境に優しい簡易マネキンを得ることができる。また、伸縮性の合成樹脂フィルムからなる保護シートで被覆することによって、衣類の着脱時に引っかかることを防止できると共に該保護シートを適宜着色することによって装飾効果を増大させることができ望ましい。
【考案を実施するための最良の形態】
【００１１】
図１は、本考案に係る立体ハンガーのハンガー本体の実施形態を示し、本実施形態に係るハンガー本体２は、肩部材３と吊り下げ具４とから構成されている。肩部材３は、木製や合成樹脂等適宜の材質で従来のハンガーとほぼ同様な形状に形成され、その中央部５に懸垂用の係止フック６が取り付けられている。該係止フック６が嵌合係止する下面位置には、後述するスタンドロッドが嵌合するスタンドロッド嵌合穴７が形成されている。また、肩部材３の肩部下方位置には吊り下げ具４が係止する係合孔８が図示のように左右に複数個形成され、吊り下げ具の幅に応じて適宜選択して吊り下げ具が嵌合係止できるようになっている。従って、吊り下げ具を衣類のサイズに応じて大きさの違うのを複数種類用意しておくことによって、種々のサイズの衣類に最も適合するハンガーを得ることができる。
【００１２】
吊り下げ具４は、針金で形成され、横杆９とその両端から垂直に立ち上がっている垂直杆１０とから構成され、該垂直杆の上端がフック状に屈曲して肩部材３の係合孔８に係止できるようになっている。そして、本実施形態では、横杆９に後述する胸部整形体形成用に切断されたハニカムボードを巻く巻芯１１を嵌合しているが、該巻芯は必ずしも必要でなく、横杆９に直接ハニカムボードを巻き付けて胸部整形体を形成してもよい。吊り下げ具４は、横杆の長さが違うものを複数種用意しておき、衣服のサイズに応じて所定の長さのものを選択できるようにする。
【００１３】
本実施形態の立体ハンガーは、以上のように構成されたハンガー本体２の肩部材３及び吊り下げ具４の横杆９に、ペーパーハニカムボードで成形された肩部整形体及び胸部整形体をそれぞれ一対づつ配置してある。図２は男性服等汎用の立体ハンガー１３を示し、図３は特に女性服用の立体ハンガー１４を示している。それらのハンガーには、それぞれ衣服の形状に合致するように、前記のように肩部整形体１５ａ、１５ｂ及び胸部整形体１６ａ、１６ｂが装着されている。それぞれの整形体は必ずしも図示の形状のものに限らず、後述するように適宜任意の形状に形成することができる。
【００１４】
図８〜図９はこれらの各整形体の製造方法の基本形態を示している。ペーパーハニカムボード１７は、図９（Ａ）に示すように、ハニカム状に接着積層された複数枚の平紙から構成され、無負荷状態では平紙が互いに積層された状態にあり、それを積層方向に引き伸ばす（展張する）ことによって、同図（Ｂ）に示すように層間が６角形状に拡がりハニカム状となる。従って、例えば、肩部整形体のように単に円筒状に均一厚みを持たせる場合は、図９（Ａ）に示すように、圧縮状態で短冊状に切断し、それを巻芯の周りに展張しながら巻着付けてその最下面のシート１８ａと上面のシート１８ｂを接合させ、図８に示すようにクリップ止め又は接着剤で接着することによって簡単に筒状のハニカム成形体が形成できる。その場合、図９に示す縦方向長さＲが巻きつけた場合の整形体の半径方向厚さとなる。また、女性用ハンガーとする場合、胸部整形体を図３に示すように乳房形状とするためには、図９（Ａ）で破線で示すように、圧縮状態で略半円弧状にバンドソー等適宜の切断工具で切断し、それを巻芯に完全に巻いて固定すれば、巻芯周りに軸対称の鼓み形状が形成される。また、約１８０゜強展張して、巻芯を挟んで厚紙ボードに下面シート１８ａと最上面シート１８ｂを接着すれば、前面にだけ膨出する胸部整形体が形成できる。
【００１５】
なお、単に上記各整形体を肩部材及び横杆に巻いて装着したのみでは、各整形体が自由に回転し不安定であるので、肩部整形体は肩部材に、胸部整形体は横杆にそれぞれ装着した後、吊り下げ部材４の縦杆１０側に寄せて、図２及び図３に示すように、それぞれの装着体の端部のハニカム切断開口縁を図２（Ｂ）に示すように縦杆１０に嵌合させることによって簡単に係止させることができ、回転が防止できる。
【００１６】
次に、上記立体ハンガーを利用した簡易マネキンの実施形態について説明する。
図４は、本実施形態に係る簡易マネキン本体３１を示している。図中、３２は基板であり、該基板に背丈程度の支柱３３が立設している。支柱３３の略中間部に後述するペーパーハニカムボードで形成された腰部整形体を装着するための支持具３４が取り付けられている。支持具３４は、腰部整形体を安定して取り付け支持できるものであればその構成は特に限定されない。本実施形態では、支持具３４は、図４に示すように、支柱３３に嵌合固定するボス３５と、該ボスから水平方向に突出する一対のアーム３６からなり、アーム３６の先端部を垂直方向に屈曲して垂直部３６ａを形成し、該垂直部の上下端部に腰部整形体のハニカム孔に係合する突起３７ａ、３７ｂを突設して構成している。以上の基板３２、支柱３３、支持具３４でスタンド３８を構成している。
【００１７】
以上のように構成されたスタンドの支柱３３の頂部に図示のように、前記立体ハンガー２の肩部材３の中央部に形成したスタンド嵌合穴７を嵌合させて立体ハンガーを載置することによって、簡易マネキン本体３１が構成される。このような骨組からなるマネキン本体３１に前述した肩部整形体１５、胸部整形体１６及び腰部整形体４０を装着することによって、図５に示す簡易マネキン３０ａが完成する。腰部整形体４０は、肩部整形体１５、胸部整形体１６と同様に、圧縮状態にあるペーパーハニカムボードの展張方向と直交方向の一側端面を腰部形状に合わせて曲線状に切断することによって容易に形成することができる。それを、中央軸方向に円柱状空間ができるように円筒状に展張して両端面を図８に示すようにクリップ１９等（図８（Ａ）参照）適宜の止め具で固定するか、又は接着することによって図示のような形状の腰部整形体に形成することができる。このように形成した腰部整形体を中央円筒部を拡げながら、前記支持具３４に嵌合して位置調整し、その状態で展張を緩めることによって、ハニカムの収縮作用により自然に収縮してその内壁面がアーム３６の垂直部３６Ａと衝合し、その端面に設けてある突起３７ａ、３７ｂがハニカム空隙部に嵌合し、支持具に上下方向及び回転方向に容易に動かないように装着される。
【００１８】
本実施形態の簡易マネキン３０は、以上のように構成され、スタンド３８に展示する衣服の形状（例えば、男性用、女性用）に合わせて形成された腰部整形体４０を装着し、且つハンガー本体２にも同様に肩部整形体１５、胸部整形体１６を装着する。そのように構成された簡易マネキンに衣類を装着することによって、従来のマネキンと同様に立体的に衣類を展示することができる。そして、本実施形態の簡易マネキンは、スタンド３８と立体ハンガー１３又は１４は簡単に分離できるので、衣類を着せる場合は、立体ハンガーを分離して立体ハンガー１３又は１４に衣類を吊るしてからスタンドに装着させるなど、衣類の着脱が簡単にできる。さらに、立体面を表現する部材はすべて紙製のハニカムで構成されているので、非常に軽量であり、移動等の取り扱いが簡単である。且つ、各整形体は着脱交換自在であるので、それぞれ形状や大きさの相違する複数種の整形体を用意しておくことによって、展示する衣類に合わせて適宜交換して使用することができる。また、各整形体は、取り外した状態では、シートの積層状態となるので嵩張らずに保管することができる。しかも、従来のマネキンと比べて特段に安価に製造できるという格別な効果を奏するものである。また、衣類を装着してない状態で店頭にあっても、各整形体のハニカムの骨格及び隙間形状がそれらの表面に露出するため、従来のマネキンにない特異な美的効果を奏して装飾性に優れ、それ自体がディスプレー効果を奏する。
【００１９】
図６は、図５に示す簡易マネキン３０に保護シート４３を装着させた場合の実施形態を示している。保護シート４３は必ずしも必要ではないが、衣服の着脱に際して衣服が各整形体のハニカムに衣類が引っかかるのを防止するために設けたものである。保護シートとしては、伸縮性のある合成樹脂製のストレッチフィルムが望ましく、図示のように肩部から腰部整形体の下方位置まで届くような筒状フィルムで形成され、それを図５に示す状態の簡易マネキンの外周面に引き伸ばした状態で嵌合することによって容易に装着することができる。また、ストレッチフィルムに適宜の色彩や模様等を施すことによって、デザイン効果を高めることができる。
【００２０】
図７は、本考案の立体ハンガーの他の実施形態を示している。本実施形態では、図２又は図３に示す立体ハンガーにさらに、衣類の袖部を支持する袖挿通部材４５を設けたことを特徴とするものである。袖挿通部材４５は、針金４６を関節相当位置から屈曲して形成され、その先端部の手に相当位置にボール４７等の球体を取り付けて構成され、ハンガー本体２の肩部材３の左右下端部に係止して一対設けられている。肩部材３への袖挿通部材４５の係止は、肩部材の先端に袖挿通部材係止孔を形成して、針金４６の基端部を屈曲させて係合させるなど適宜の手段が採用できる。そして、前記針金４６に肩部材整形体と同様に、腕部の膨らみを持たせるようにペーパーハニカムボードで形成した袖整形体４８、４９を適宜装着し、両者の角度を適宜調節することによって衣類装着後の袖の角度を自在に調節できるようにする。
【００２１】
本実施形態の立体ハンガーは、以上のように形成され、袖整形体４８、４９を有するので、袖部も立体的に保持することができるので、前記実施形態の立体ハンガーよりもより展示効果の高い立体ハンガーを得ることができる。そして、該立体ハンガーをさらに簡易ハンガーに適用することによって、より展示効果の高い簡易ハンガーが得られる。
【産業上の利用可能性】
【００２２】
本考案の立体ハンガーは、本体骨組みは木製、竹製、紙製、金属製、プラスチック製何れでも適用可能であり、且つそれらのハンガー本体にペーパーハニカムボードで成形された整形体を装置したものであるので、衣類を立体的形状を保持して吊るすことができ、衣類の形状保持性に優れ且つ展示性にも優れ、家庭用のハンガー、店頭での展示用ハンガー等種々の分野での利用が可能である。また、該立体ハンガーを利用した簡易ハンガーは、従来のハンガーに比べて安価であり、且つ軽量でしかも嵩張ることがなく収納することができ、産業上の利用可能性が高い。
【図面の簡単な説明】
【００２３】
【図１】本考案の立体ハンガーの実施形態に係るハンガー本体の正面図である。
【図２】（Ａ）は本考案の実施形態に係る立体ハンガーを吊るした状態での正面図、（Ｂ）はその要部拡大斜視図である。
【図３】本考案の他の実施形態に係る立体ハンガーを吊るした状態での正面図である。
【図４】本考案の簡易マネキンの実施形態に係るマネキン本体の正面図である。
【図５】本考案の実施形態に係る簡易マネキンの正面図である。
【図６】本考案の他の実施形態に係る簡易マネキンの正面図である。
【図７】本考案のさらに他の実施形態に係る立体ハンガーの正面図である。
【図８】（Ａ）は本考案の立体ハンガーの実施形態に係る肩部整形体の正面図であり、（Ｂ）は横杆に直接ペーパーハニカムボードを巻いた場合の側面図であり、（Ｃ）は横杆を巻芯で覆いその上にペーパーハニカムボードを巻いた場合の側面図である。
【図９】（Ａ）はペーパーハニカムボードの圧縮状態での斜視図、（Ｂ）は展張状態での斜視図である。
【符号の説明】
【００２４】
２  ハンガー本体                        ３  肩部材
４  吊り下げ具                          ５  中央部
６  係止フック                          ７  スタンドロッド嵌合穴
８  係合孔                              ９  横杆
１０  垂直杆                            １１  巻芯
１３、１４  立体ハンガー                １５  肩部整形体
１６  胸部整形体                        １７  ペーパーハニカムボード
１８ａ、１８ｂ  シート                  ３０  簡易マネキン
３１  簡易マネキン本体                  ３２  基板
３３  支柱                              ３４  支持具
３５  ボス                              ３６  アーム
３７ａ、３７ｂ  突起                    ３８  スタンド
４０  腰部整形体                        ４３  保護シート
４５  袖挿通部材                        ４６  針金
４７  ボール                            ４８、４９  袖整形体
【図１】
0003140575.tif 000003
【図２】
0003140575.tif 000004
【図３】
0003140575.tif 000005
【図４】
0003140575.tif 000006
【図５】
0003140575.tif 000007
【図６】
0003140575.tif 000008
【図７】
0003140575.tif 000009
【図８】
0003140575.tif 000010
【図９】
0003140575.tif 000011